(57)【要約】【課題】作業者が手元の操作部の操作量を保持することなく、吸込み口の角度を保持することができる掃除具等を提供する。【解決手段】掃除具等は、電気掃除機の手元ホース又は延長管に接続し得るように形成された継手管と、前記継手管に接続された管路と、前記管路の前記継手側とは反対側に設けられた吸込み口と、前記管路に設けられ、前記管路に対する前記吸込み口の角度を変化させ得るように形成された回転接続部と、前記継手管に近接して設けられ、操作された際に操作量に応じた量だけ前記回転接続部を回転させた状態で操作された後の状態に保持されるように形成された操作部と、を備えた。【選択図】図２
2014045870.tif 000002
【特許請求の範囲】
【請求項１】
電気掃除機の手元ホース又は延長管に接続し得るように形成された継手管と、
前記継手管に接続された管路と、
前記管路の前記継手側とは反対側に設けられた吸込み口と、
前記管路に設けられ、前記管路に対する前記吸込み口の角度を変化させ得るように形成された回転接続部と、
前記継手管に近接して設けられ、操作された際に操作量に応じた量だけ前記回転接続部を回転させた状態で操作された後の状態に保持されるように形成された操作部と、
を備えた掃除具。
【請求項２】
前記回転接続部は、前記管路の前記継手管側に設けられた元側回転接続部と前記管路の前記吸込み口側に設けられた先側回転接続部とを有し、
前記操作部は、前記元側回転接続部を回転させ得るように形成された元側操作部と前記先側回転接続部を回転させ得るように形成された先側操作部とを有した請求項１に記載の掃除具。
【請求項３】
前記回転接続部は、歯車からなり、
前記操作部は、前記歯車に接続された軸と前記軸に取り付けられたツマミとを有した請求項１又は請求項２に記載の掃除具。
【請求項４】
前記回転接続部は、プーリと前記プーリに巻き掛けられたベルトとを有し、
前記操作部は、前記プーリを回転させるツマミを有した請求項１又は請求項２に記載の掃除具。
【請求項５】
前記継手管の断面は、電気掃除機の手元ホース又は延長管に接続される側から前記管路側に向けて楕円形から延期に徐々に変化した請求項１〜請求項４のいずれか一項に記載の掃除具３。
【請求項６】
請求項１〜請求項５のいずれか一項に記載の掃除具が接続された手元ホース又は延長管を備えた電気掃除機。
【発明の詳細な説明】
【技術分野】
【０００１】
この発明は、掃除具及びこの掃除具を用いた電気掃除機に関するものである。
【背景技術】
【０００２】
管路と吸込み口との間に回転接続部を備えた掃除具が提案されている。当該掃除具によれば、回転接続部を回転させることにより、吸込み口の角度を調整することができる。その結果、吸込み口を被掃除面に適切に対向させることができる（例えば、特許文献１参照）。
【０００３】
しかしながら、特許文献１記載のものにおいては、被掃除面の傾きが変わるたびに、作業者が吸込み口を直接触って操作する必要がある。このため、掃除の効率が下がる。また、吸込み口を直接触ることは衛生的ではない。
【０００４】
これに対し、手元のレバーの操作で吸込み口の角度を調整する掃除具が提案されている。当該掃除具によれば、被掃除面の傾きが変わるたびに、レバーを操作すればよい。すなわち、吸込み口を直接触る必要がない。
【先行技術文献】
【特許文献】
【０００５】
【特許文献１】特開２００９−２６１４３２号公報
【特許文献２】特開２００６−２５５３７３号公報
【発明の概要】
【発明が解決しようとする課題】
【０００６】
しかしながら、特許文献２記載のものにおいては、吸込み口の角度を中段で保持する場合に、作業者がレバーの操作量を保持する必要がある。
【０００７】
この発明は、上述の課題を解決するためになされたもので、作業者が手元の操作部の操作量を保持することなく、吸込み口の角度を保持することができる掃除具及びこの掃除具を用いた電気掃除機を提供することである。
【課題を解決するための手段】
【０００８】
この発明に係る掃除具は、電気掃除機の手元ホース又は延長管に接続し得るように形成された継手管と、前記継手管に接続された管路と、前記管路の前記継手側とは反対側に設けられた吸込み口と、前記管路に設けられ、前記管路に対する前記吸込み口の角度を変化させ得るように形成された回転接続部と、前記継手管に近接して設けられ、操作された際に操作量に応じた量だけ前記回転接続部を回転させた状態で操作された後の状態に保持されるように形成された操作部と、を備えたものである。
【０００９】
この発明に係る電気掃除機は、上記掃除具が接続された手元ホース又は延長管を備えたものである。
【発明の効果】
【００１０】
この発明によれば、作業者が手元の操作部の操作量を保持することなく、吸込み口の角度を保持することができる。
【図面の簡単な説明】
【００１１】
【図１】この発明の実施の形態１における電気掃除機と手元ホースとの斜視図である。
【図２】この発明の実施の形態１における掃除具を斜め上方から見た斜視図である。
【図３】この発明の実施の形態１における掃除具を図２とは反対側の斜め上方から見た斜視図である。
【図４】この発明の実施の形態１における掃除具を平面方向から見た断面図である。
【図５】この発明の実施の形態１における掃除具の要部を斜め上方から見た分解図である。
【図６】この発明の実施の形態１における掃除具の要部を図４とは反対側の斜め上方から見た分解図である。
【図７】この発明の実施の形態１における掃除具の要部を斜め上方から見た分解図である。
【図８】この発明の実施の形態１における掃除具の要部を図６とは反対側の斜め上方から見た分解図である。
【図９】この発明の実施の形態１における掃除具を側面方向から見た断面図である。
【図１０】この発明の実施の形態１における掃除具の元側回転接続部を正面方向から見た断面図である。
【図１１】この発明の実施の形態１における掃除具を図９とは反対側の側面方向から見た断面図である。
【図１２】この発明の実施の形態１における掃除具の先側回転接続部の背面方向から見た断面図である。
【図１３】この発明の実施の形態１における掃除具に用いる自在継ぎ手の側面図である。
【図１４】この発明の実施の形態１における掃除具の標準状態を示す側面図である。
【図１５】この発明の実施の形態１における掃除具の上方回転状態を示す側面図である。
【図１６】この発明の実施の形態１における掃除具の下方回転状態を示す側面図である。
【図１７】この発明の実施の形態２における掃除具を斜め上方から見た斜視図である。
【図１８】この発明の実施の形態２における掃除具を図１８とは反対側の斜め上方から見た斜視図である。
【図１９】この発明の実施の形態２における掃除具の要部を斜め上方から見た分解図である。
【図２０】この発明の実施の形態２における掃除具の要部を図１９とは反対側の斜め上方から見た分解図である。
【図２１】この発明の実施の形態３における掃除具を斜め上方から見た斜視図である。
【図２２】この発明の実施の形態３における掃除具を図２１とは反対側の斜め上方から見た斜視図である。
【図２３】この発明の実施の形態３における掃除具の要部を斜め上方から見た分解図である。
【図２４】この発明の実施の形態３における掃除具の要部を図２３とは反対側の斜め上方から見た分解図である。
【図２５】この発明の実施の形態３における掃除具の要部を斜め上方から見た分解図である。
【図２６】この発明の実施の形態３における掃除具の要部を図２３とは反対側の斜め上方から見た分解図である。
【発明を実施するための形態】
【００１２】
この発明を実施するための形態について添付の図面に従って説明する。なお、各図中、同一又は相当する部分には同一の符号を付しており、その重複説明は適宜に簡略化ないし省略する。
【００１３】
実施の形態１．
図１はこの発明の実施の形態１における電気掃除機と手元ホースとの斜視図である。
【００１４】
図１において、電気掃除機１の内部には、電動送風機（図示せず）、集塵部（図示せず）、基板（図示せず）等が設けられる。
【００１５】
手元ホース２は、接続管２ａ、ホース２ｂ、手元管２ｃを備える。接続管２ａは、電気掃除機１の前部に接続される。ホース２ｂは、接続管２ａの先側に接続される。ホース２ｂは、蛇腹状に形成される。手元管２ｃは、ホース２ｂの先側に接続される。手元ホース２は、伸縮管（図示せず）等を取り付け得るように形成される。手元管２ｃには、手元ホース握り部２ｄが形成される。手元ホース握り部２ｄ近傍には、操作スイッチ２ｅが組み込まれる。
【００１６】
電気掃除機１の使用者は、手元ホース握り部２ｄを握って、操作スイッチ２ｅのスイッチ群を操作する。当該操作により、電源の入り切り、運転モード切替え等の信号が出力される。当該信号により、基板は、電気掃除機１を電気的に制御する。当該制御により電動送風機が動作した場合、吸引風が発生する。当該吸引風により、塵埃が手元管２ｃに吸引される。当該塵埃は、ホース２ｂ、接続管２ａを介して電気掃除機１まで搬送される。当該塵埃は、集塵部に蓄積される。
【００１７】
次に、図２〜４を用いて、掃除具の概要を説明する。
図２はこの発明の実施の形態１における掃除具を斜め上方から見た斜視図である。図３はこの発明の実施の形態１における掃除具を図２とは反対側の斜め上方から見た斜視図である。図４はこの発明の実施の形態１における掃除具を平面方向から見た断面図である。
【００１８】
図２と図３とに示すように、掃除具３は、継手管４、第１の管５、第２の管６、第３の管７、第４の管８、吸込み口９、元側回転接続部１０、先側回転接続部１１、元側操作部１２、先側操作部１３を備える。
【００１９】
継手管４は、最も元側に位置する。第１の管５は、継手管４の先側に位置する。第２の管６は、第１の管５の先側に位置する。第３の管７は、第２の管６の先側に位置する。第４の管８は、第３の管７の先側に位置する。吸込み口９は、第４の管８の先側に位置する。
【００２０】
図２〜図４に示すように、継手管４、第１の管５、第２の管６、第３の管７、第４の管８、吸込み口９の内部には、一連の吸塵風路が形成される。当該吸塵風路の主形状は、縦寸法が幅寸法よりも大きい扁平状からなる。
【００２１】
図２と図３とに示すように、元側回転接続部１０は、第１の管５と第２の管６との間に位置する。先側回転接続部１１は、第４の管と吸込み口９との間に位置する。元側操作部１２は、継手管４に近接して設けられる。先側操作部１３は、継手管４に近接して設けられる。
【００２２】
次に、図５と図６とを用いて、継手管４、第１の管５、第２の管６を説明する。
図５はこの発明の実施の形態１における掃除具の要部を斜め上方から見た分解図である。図６はこの発明の実施の形態１における掃除具の要部を図４とは反対側の斜め上方から見た分解図である。
【００２３】
継手管４は、掃除具３を手元管２ｃに取り付け得るように形成される。継手管４の断面は、手元管２ｃとの気密性を確保しつつ手元管２ｃとの取り付け性を向上するように円形のテーパ管状に形成される。継手管４には、継手管４自身を握り易くするように継手管握り部４ａが形成される。継手管握り部４ａの断面は、元側から途中に向かって略楕円形から略円形に徐々に変化する。
【００２４】
第１の管５に関し、管路５ａの元側には、継手管接続部５ｂ、元側駆動軸受台５ｃ、先側駆動第１軸受台５ｄが形成される。
【００２５】
継手管接続部５ｂは、継手管４と接続し得るように形成される。元側駆動軸受台５ｃには、軸穴５ｅが形成される。先側駆動第１軸受台５ｄには、軸穴５ｆが形成される。
【００２６】
管路５ａの先側には、元側吸塵中継風路５ｇ、元側歯車室５ｈ、中継歯車室５ｉ、隔壁５ｊが形成される。
【００２７】
元側吸塵中継風路５ｇには、側壁５ｋが形成される。側壁５ｋの元側には、軸穴５ｌが形成される。軸穴５ｌ（図５と図６とにおいて図示せず）は、軸穴５ｅの中心線上に位置する。側壁５ｋの先側には、吸塵開口５ｍが形成される。吸塵開口５ｍは、長手方向を縦方向にして形成される。吸塵開口５ｍの縦寸法は、第２の管６の回転範囲分を加味して設定される。
【００２８】
元側歯車室５ｈは、元側吸塵中継風路５ｇに覆われる。元側歯車室５ｈは、管路５ａの軸線に対して傾斜するように形成される。元側歯車室５ｈには、側壁５ｎが形成される。側壁５ｎには、軸穴５ｏが形成される。軸穴５ｏは、軸穴５ｌの中心線上に位置する。元側歯車室５ｈを塞ぐように、元側歯車室蓋５ｐが設けられる。元側歯車室蓋５ｐは、側壁５ｎに倣って平板状に形成される。元側歯車室蓋５ｐの中央部には、歯車穴５ｑが形成される。
【００２９】
中継歯車室５ｉは、元側吸塵中継風路５ｇの一側に形成される。中継歯車室５ｉには、側壁５ｒが形成される。側壁５ｒの元側には、軸穴５ｓが形成される。軸穴５ｓは、軸穴５ｆの中心線上に位置する。側壁５ｒの先側には、軸開口５ｔが形成される。軸開口５ｔは、長手方向を縦方向にするように形成される。軸開口５ｔの縦寸法は、第２の管６の回転範囲分を加味して設定される。
【００３０】
隔壁５ｊは、元側吸塵中継風路５ｇと中継歯車室５ｉとを分離するように形成される。隔壁５ｊの中央部には、軸穴５ｕが形成される。
【００３１】
第２の管６に関し、管路６ａの元側には、円筒壁６ｂ、円形壁６ｃ、穴空き円形壁６ｄが形成される。円筒壁６ｂ、円形壁６ｃ、穴空き円形壁６ｄは、元側吸塵中継風路５ｇ、中継歯車室５ｉを覆うように形成される。
【００３２】
円筒壁６ｂの大きさは、吸塵開口５ｍの縦寸法及び軸開口５ｔの縦寸法に、第２の管６の回転範囲分を加味して設定される。円筒壁６ｂの内径は、元側吸塵中継風路５ｇの外径と中継歯車室５ｉの外径との間に必要最小限のすき間が形成されるように設定される。
【００３３】
円筒壁６ｂには、管路６ａとの対向部に吸塵開口６ｅ（図５と図６とにおいては図示せず）が形成される。吸塵開口６ｅは、吸塵開口５ｍと対向する。吸塵開口６ｅの幅寸法は、吸塵開口５ｍの幅寸法とほぼ同様に設定される。吸塵開口６ｅの縦寸法は、吸塵開口５ｍの縦寸法に第２の管６の回転範囲を加味して設定される。円筒壁６ｂの先側には、軸穴６ｆが形成される。軸穴６ｆは、軸開口５ｔと対向する。
【００３４】
円形壁６ｃは、円筒壁６ｂの一側面に連なる。円形壁６ｃは、元側吸塵中継風路５ｇの蓋体として機能する。すなわち、円形壁６ｃの内面は、元側吸塵中継風路５ｇの端面との間に必要最小限のすき間が形成されるように設定される。円形壁６ｃの中央部には、ねじ穴６ｊが形成される。
【００３５】
穴空き円形壁６ｄは、円筒壁６ｂの他側面に連なる。すなわち、穴空き円形壁６ｄは、円形壁６ｃに対向する。穴空き円形壁６ｄは、中継歯車室５ｉの蓋体として機能する。穴空き円形壁６ｄの中央部には、軸穴６ｋが形成される。
【００３６】
管路６ａの先側には、凸部６ｇと先側駆動第２軸受台６ｈとが形成される。先側駆動第２軸受台６ｈには、軸穴６ｉが形成される。軸穴６ｉは、軸穴６ｆの中心線上に位置する。
【００３７】
次に、図７と図８とを用いて、第３の管７、第４の管８、吸込み口９を説明する。
図７はこの発明の実施の形態１における掃除具の要部を斜め上方から見た分解図である。図８はこの発明の実施の形態１における掃除具の要部を図６とは反対側の斜め上方から見た分解図である。
【００３８】
第３の管７に関し、管路７ａの元側には、管接続部７ｂが形成される。管接続部７ｂには、凹部７ｃが形成される。管路７ａの先側には、管接続部７ｄが形成される。管接続部には、凹部７ｅが形成される。
【００３９】
第４の管８に関し、管路８ａの元側には、凸部８ｂと先側駆動第４軸受台８ｃとが形成される。先側駆動第４軸受台８ｃには、軸穴８ｄが形成される。
【００４０】
管路８ａの先側には、先側吸塵中継風路８ｅが形成される。先側吸塵中継風路８ｅには、側壁８ｆが形成される。側壁８ｆの元側には、軸穴８ｇ（図５と図６とにおいては図示せず）が形成される。先側吸塵中継風路８ｅには、開口面８ｈと底壁８ｉが形成される。底壁８ｉの中央部には、軸穴８ｊが形成される。
【００４１】
先側吸塵中継風路８ｅに覆われるように、先側歯車室８ｋが形成される。先側歯車室８ｋは、管路８ａの軸線に対して傾斜するように形成される。先側歯車室８ｋには、側壁８ｌが形成される。側壁８ｌには、軸穴８ｍ（図７と図８とにおいては図示せず）が形成される。軸穴８ｍは、軸穴８ｇの中心線上に位置する。先側歯車室８ｋを塞ぐように、先側歯車室蓋８ｎが設けられる。先側歯車室蓋８ｎは、側壁８ｌに倣って平板状に形成される。先側歯車室蓋８ｎの中央部には、歯車穴８ｏが形成される。
【００４２】
吸込み口９に関し、吸込み口本体９ａは、縦方向に扁平で袋状に形成される。吸込み口本体９ａの上側には、作業用穴９ｂが形成される。吸込み口本体９ａの下側には、吸塵口９ｃが形成される。吸塵口９ｃは、横方向に扁平となるように形成される。
【００４３】
吸込み口本体９ａの上側には、支持板９ｄが設けられる。支持板９ｄは、開口面８ｈに対向する。支持板９ｄは、３方に広がる。支持板９ｄの中央部には、ねじ穴９ｅが形成される。ねじ穴９ｅは、作業用穴９ｂに対向する。
【００４４】
支持板９ｄの間には、扇状の吸塵開口９ｆが形成される。支持板９ｄと吸塵開口９ｆとの周囲には、外回転ガイド９ｇが形成される。外回転ガイド９ｇは、側壁８ｆの外側に倣ったリング状のリブからなる。外回転ガイド９ｇは、吸込み口本体９ａが回転する際のガイドとなるように形成される。外回転ガイド９ｇは、吸塵風路内の真空度の落ち込みを防止するように形成される。
【００４５】
作業用穴９ｂの外側には、作業用穴蓋９ｈが設けられる。作業用穴蓋９ｈは、作業用穴９ｂを塞ぐように形成される。作業用穴蓋９ｈは、吸塵風路内の真空度の落ち込みを防止するように形成される。
【００４６】
吸塵口９ｃの周囲には、植毛９ｉが設けられる。植毛９ｉは、馬毛やナイロン毛等からなる。
【００４７】
次に、図９と図１０とを用いて、元側回転接続部１０を説明する。
図９はこの発明の実施の形態１における掃除具３を側面方向から見た断面図である。図１０はこの発明の実施の形態１における掃除具３の元側回転接続部を正面方向から見た断面図である。
【００４８】
図９と図１０とに示すように、元側回転接続部１０は、元側歯車室５ｈ内に設けられる。元側回転接続部１０は、元側ウォーム歯車１０ａ、元側ウォームホイール歯車１０ｂを備える。元側ウォーム歯車１０ａと元側ウォームホイール歯車１０ｂは、食い違い軸の歯車からなる。
【００４９】
例えば、元側ウォーム歯車１０ａは、黄銅等の切削加工に適した高強度素材からなる。元側ウォーム歯車１０ａの表面には、歯（図示せず）が形成される。歯は、螺旋状に形成される。元側ウォーム歯車１０ａの中央部には、軸穴１０ｃが形成される。元側ウォーム歯車１０ａには、止めねじ下穴１０ｄが形成される。止めねじ下穴１０ｄは、軸穴１０ｃと直交する。
【００５０】
元側ウォームホイール歯車１０ｂは、黄銅等の切削加工に適した高強度素材からなる。元側ウォームホイール歯車１０ｂの表面には、歯（図示せず）が形成される。歯は、元側ウォーム歯車１０ａに対応する。元側ウォームホイール歯車１０ｂの中央部には、軸穴１０ｅが形成される。元側ウォームホイール歯車１０ｂには、止めねじ下穴１０ｆが形成される。止めねじ下穴１０ｆは、軸穴１０ｅと直交する。元側ウォームホイール歯車１０ｂの側面には、締結ねじ下穴１０ｇが形成される。
【００５１】
次に、図１１と図１２を用いて、先側回転接続部１１を説明する。
図１１はこの発明の実施の形態１における掃除具を図９とは反対側の側面方向から見た断面図である。図１２はこの発明の実施の形態１における掃除具の先側回転接続部の背面方向から見た断面図である。
【００５２】
図１１と図１２とに示すように、先側回転接続部１１は、中継歯車室５ｉ内と先側歯車室内８ｋとに設けられる。
【００５３】
中継歯車室５ｉ内には、駆動側小かさ歯車１１ａ、被動側小かさ歯車１１ｂ、大かさ歯車１１ｃが設けられる。駆動側小かさ歯車１１ａ、被動側小かさ歯車１１ｂ、大かさ歯車１１ｃの軸は、一点で交わるように配置される。
【００５４】
駆動側小かさ歯車１１ａは、中継歯車室内５ｊの元側に設けられる。駆動側小かさ歯車は、成形加工も可能な高強度素材で形成される。駆動側小かさ歯車１１ａの表面には、歯（図示せず）が形成される。駆動側小かさ歯車１１ａの中央部には、軸穴１１ｄが形成される。駆動側小かさ歯車１１ａには、止めねじ下穴１１ｅが形成される。止めねじ下穴１１ｅは、軸穴１１ｄと直交する。
【００５５】
被動側小かさ歯車１１ｂは、中継歯車室内５ｊの先側に設けられる。被動側小かさ歯車１１ｂは、成形加工も可能な高強度素材で形成される。被動側小かさ歯車１１ｂの表面には、歯（図示せず）が形成される。被動側小かさ歯車１１ｂの中央部には、軸穴１１ｆが形成される。被動側小かさ歯車１１ｂには、止めねじ下穴１１ｇが形成される。止めねじ下穴１１ｇは、軸穴１１ｆと直交する。
【００５６】
大かさ歯車１１ｃは、成形加工も可能な高強度素材からなる。大かさ歯車１１ｃの表面には、歯（図示せず）が形成される。歯は、駆動側小かさ歯車１１ａと被動側小かさ歯車１１ｂとに対応する。大かさ歯車１１ｃの中央部には、軸穴１１ｈが形成される。
【００５７】
先側歯車室８ｋ内には、先側ウォーム歯車１１ｉ、先側ウォームホイール歯車１１ｊが設けられる。先側ウォーム歯車１１ｉと先側ウォームホイール歯車１１ｊは、食い違い軸の歯車からなる。
【００５８】
例えば、先側ウォーム歯車１１ｉは、黄銅等の切削加工に適した高強度素材からなる。先側ウォーム歯車１１ｉには、歯（図示せず）が形成される。歯は、螺旋状に形成される。先側ウォーム歯車１１ｉの中央部には、軸穴１１ｋが形成される。先側ウォーム歯車１１ｉには、止めねじ下穴１１ｌが形成される。止めねじ下穴１１ｌは、軸穴１１ｋと直交する。
【００５９】
先側ウォームホイール歯車１１ｊは、黄銅等の切削加工に適した高強度素材からなる。先側ウォームホイール歯車１１ｊの表面には、歯（図示せず）が形成される。歯は、先側ウォーム歯車１１ｉに対応する。先側ウォームホイール歯車１１ｊの中央部には、軸穴１１ｍが形成される。先側ウォームホイール歯車１１ｊには、止めねじ下穴１１ｎが形成される。止めねじ下穴１１ｎは、軸穴１１ｍと直交する。先側ウォームホイール歯車１１ｊの側面には、締結ねじ下穴１１ｏが形成される。
【００６０】
次に、図５〜図８を用いて、元側操作部１２、先側操作部１３を説明する。
【００６１】
図２と図３とに示すように、元側操作部１２は、元側駆動軸１２ａ、元側回転操作ツマミ１２ｂを備える。
【００６２】
元側駆動軸１２ａは、元側回転接続部１０の元側から継手管４側へ突き出すように設けられる。例えば、元側駆動軸１２ａは、ステンレス等の高強度素材からなる。元側駆動軸１２ａの外径は、軸穴５ｌの内径に対し、必要最小限のすき間を確保するように設定される。元側駆動軸１２ａの両端には、Ｄカット１２ｃが形成される。
【００６３】
元側回転操作ツマミ１２ｂは、元側駆動軸１２ａの元側に設けられる。元側回転操作ツマミ１２ｂは、使用者が指で摘める程度に円筒状に形成される。元側回転操作ツマミ１２ｂの表面には、滑り止め用の凹凸１２ｄが形成される。元側回転操作ツマミ１２ｂの中央部には、軸穴１２ｅが形成される。元側回転操作ツマミ１２ｂには、止めねじ下穴１２ｆが形成される。止めねじ下穴１２ｆは、軸穴１２ｅと直交する。
【００６４】
図５〜図８に示すように、先側操作部１３は、先側駆動第１軸１３ａ、先側駆動第２軸１３ｂ、先側駆動第３軸１３ｃ、先側駆動第４軸１３ｄ、自在継ぎ手１３ｅ、先側回転操作ツマミ１３ｆを備える。
【００６５】
先側駆動第１軸１３ａは、元側回転接続部１０の元側から継手管４側へ突き出すように設けられる。先側駆動第１軸１３ａの両端には、Ｄカット１３ｇが形成される。先側駆動第２軸１３ｂは、元側回転接続部１０の先側から吸込み口９側へ突き出すように設けられる。先側駆動第２軸１３ｂの両端は、Ｄカット１３ｈが形成される。
【００６６】
先側駆動第３軸１３ｃは、先側駆動第２軸１３ｂの先側に設けられる。  先側駆動第３軸１３ｃの両端には、Ｄカット１３ｉが形成される。先側駆動第４軸１３ｄは、先側駆動第３軸１３ｃの先側に設けられる。先側駆動第４軸１３ｄの両端には、Ｄカット１３ｊが形成される。
【００６７】
自在継ぎ手１３ｅの一方は、先側駆動第２軸１３ｂの先側と先側駆動第３軸１３ｃとの間に設けられる。自在継ぎ手１３ｅの他方は、先側駆動第３軸１３ｃの先側と先側駆動第４軸１３ｄとの間に設けられる。
【００６８】
先側回転操作ツマミ１３ｆは、使用者が指で摘める程度に円筒状に形成される。先側回転操作ツマミ１３ｆの表面には、滑り止め用の凹凸１３ｋが形成される。先側回転操作ツマミ１３ｆの中央部には、軸穴１３ｌが形成される。先側回転操作ツマミ１３ｆには、止めねじ下穴１３ｍが形成される。止めねじ下穴１３ｍは、軸穴１３ｌと直交する。先側回転操作ツマミ１３ｆは、色や印にて元側回転操作ツマミ１２ｂと区別される。
【００６９】
次に、図１３を用いて、自在継ぎ手１３ｅを説明する。
図１３はこの発明の実施の形態１における掃除具に用いる自在継ぎ手の側面図である。
【００７０】
自在継ぎ手１３ｅは、軸の角度方向を変化させるための専用の継ぎ手である。具体的には、自在継ぎ手１３ｅは、一対の継ぎ手１３ｎ、中間体１３ｏを備える。一対の継ぎ手１３ｎは、円筒状に形成される。各継ぎ手１３ｎには、止めねじ下穴１３ｐが形成される。中間体１３ｏは、継ぎ手１３ｎの間の中央に設けられる。中間体１３ｏは、２本の軸を備える。２本の軸は、十文字状に嵌め込まれる。
【００７１】
次に、図５〜図８を用いて、掃除具３の組み立て手順の概要を説明する。なお、掃除具３の組み立て手順は、以下の説明した手順に限定されない。
【００７２】
まず、図５と図６とにおいて、軸受１４が元側駆動軸受台５ｃの軸穴５ｅ、先側駆動第１軸受台５ｄの軸穴５ｆ、元側歯車室５ｈの軸穴５ｏ、中継歯車室５ｉの軸穴５ｓ、隔壁５ｊの軸穴５ｕに装着される。
【００７３】
その後、元側歯車室５ｈに関し、元側回転接続部軸１５が元側ウォームホイール歯車１０ｂの軸穴１０ｅに挿入される。その後、元側ウォームホイール歯車１０ｂの止めねじ下穴１０ｆと元側回転接続部軸１５のＤカット１５ａとを合わせた状態で、止めねじ１６が締結される。なお、元側ウォームホイール歯車１０ｂと元側回転接続部軸１５との固定は、強度の確保できれば圧入等でもよい。
【００７４】
その後、元側ウォームホイール歯車１０ｂと元側ウォーム歯車１０ａとの歯をかみ合わせた状態で、元側回転接続部軸１５が隔壁の５ｊの軸穴５ｕに挿入される。その結果、元側ウォームホイール歯車１０ｂと元側ウォーム歯車１０ａが元側歯車室５ｈに組み込まれる。この段階で、元側回転接続部軸１５は、中継歯車室５ｉに現れる。
【００７５】
その後、元側駆動軸１２ａが元側駆動軸受台５ｃの軸穴５ｅ、元側吸塵中継風路５ｇの軸穴５ｌ、元側歯車室５ｈの軸穴５ｏ、元側ウォーム歯車１０ａの軸穴１０ｃの順に挿入される。その後、元側ウォーム歯車１０ａの止めねじ下穴１０ｄと元側駆動軸１２ａのＤカット１２ｃとを合せた状態で、止めねじ１６が締結される。その結果、元側駆動軸１２ａは、元側駆動軸受台５ｃ、元側吸塵中継風路５ｇ、元側歯車室５ｈ、元側ウォーム歯車１０ａに支持される。
【００７６】
その後、軸受１４が元側歯車室蓋５ｐの歯車穴５ｑに装着される。その後、歯車穴５ｑが元側ウォームホイール歯車１０ｂに嵌るように元側歯車室５ｈの側壁５ｎに密着される。
【００７７】
その後、中継歯車室５ｉに関し、先側駆動第１軸１３ａが先側駆動第１軸受台５ｄの軸穴５ｆ、中継歯車室５ｉの軸穴５ｌの順に挿入される。その後、中継歯車室５ｉの内部において、先側駆動第１軸１３ａが駆動側小かさ歯車１１ａの軸穴１１ｄに挿入される。その後、駆動側小かさ歯車１１ａの止めねじ下穴１１ｅと先側駆動第１軸１３ａのＤカット１３ｇとを合せた状態で、止めねじ１６が締結される。その結果、先側駆動第１軸１３ａは、先側駆動第１軸受台４ｄ、中継歯車室５ｉ、駆動側小かさ歯車１１ａに支持される。
【００７８】
その後、先側駆動第２軸１３ｂが中継歯車室５ｉの軸開口５ｔに挿入される。その後、中継歯車室５ｉの内部において、先側駆動第２軸１３ｂが被動側小かさ歯車１１ｂの軸穴１１ｆに挿入される。その後、被動側小かさ歯車１１ｂの止めねじ下穴１１ｇと先側駆動第２軸１３ｂのＤカット１３ｈとを合せた状態で、止めねじ１６が締結される。
【００７９】
その後、元側回転接続部軸１５が大かさ歯車１１ｃの軸穴１１ｈに挿入される。この際、大かさ歯車１１ｃの歯が駆動側小かさ歯車１１ａの歯と被動側小かさ歯車１１ｂの歯とにかみ合わされる。
【００８０】
その後、元側駆動軸１２ａの元側が元側回転操作ツマミ１２ｂの軸穴１２ｅに挿入される。その後、元側回転操作ツマミ１２ｂの止めねじ下穴１２ｆと元側駆動軸１２ａのＤカット１２ｃとを合わせた状態で、止めねじ１６が締結される。その後、先側駆動第１軸１３ａの元側が先側回転操作ツマミ１３ｆの軸穴１３ｌに挿入される。その後、元側が先側回転操作ツマミ１３ｆの止めねじ下穴１３ｍと先側駆動第１軸１３ａのＤカット１３ｇとを合わせた状態で、止めねじ１６が締結される。
【００８１】
その後、継手管４が第１の管５の継手管接続部５ｂに挿入するように接続される。接続方法は、掃除具３を使用する際の強度と吸塵風路としての気密性とを確保できればよい。例えば、凹凸による嵌合、超音波溶着、接着剤又は溶剤による接合等でもよい。
【００８２】
第２の管６に関し、軸受１４が円筒壁６ｂの軸穴６ｆ、先側駆動第２軸受台６ｈの軸穴６ｉに装着される。その後、先側駆動第２軸１３ｂが円筒壁６ｂの軸穴６ｆ、先側駆動第２軸受台６ｈの軸穴６ｉの順に挿入される。その後、円筒壁６ｂ、円形壁６ｃ、穴空き円形壁６ｄが元側吸塵中継風路５ｇ、中継歯車室５ｉを覆うように配置される。
【００８３】
この際、穴空き円形壁６ｄは、元側回転接続部軸１５の先端に接触する位置関係にある。当該接触量はわずかである。このため、穴空き円形壁６ｄを少し変形させることで、当該接触は回避される。この場合、元側回転接続部軸１５の先端は、穴空き円形壁６ｄの軸穴６ｋに到達すれば、当該軸穴６ｋから覗くことができる。
【００８４】
その後、円形壁６ｃのねじ穴６ｊと元側ウォームホイール歯車１０ｂの締結ねじ下穴１０ｇとを合せた状態で、ねじ１７が締結される。その後、Ｅ形止め輪１８が座金１９を介して元側回転接続部軸１５の先端のＥ形止め輪用溝１５ｂに装着される。当該装着により、元側回転接続部１０周辺の組み立てに区切りが付く。
【００８５】
この時点で、元側回転操作ツマミ１２ｂを操作（回転）すれば、元側駆動軸１２ａが回転する。当該回転に対応して、元側ウォーム歯車１０ａが回転する。当該回転に対応して、元側ウォームホイール歯車１０ｂが減速回転する。当該回転に連動して、第２の管６が第１の管５に対して回転する。
【００８６】
これに対し、先側回転操作ツマミ１３ｆを操作（回転）すれば、先側駆動第１軸１３ａが回転する。当該回転に対応して、駆動側小かさ歯車１１ａが回転する。当該回転に対応して、大かさ歯車１１ｃが回転する。当該回転に対応して、被動側小かさ歯車１１ｂが回転する。当該回転に対応して、先側駆動第２軸１３ｂが回転する。
【００８７】
ここで、元側ウォームホイール歯車１０ｂとともに、元側回転接続部軸１５も回転する。これに対し、元側回転接続部軸１５の外径は、大かさ歯車１１ｃの軸穴１１ｈの内径に対し、すきまばめとなるように設定される。このため、大かさ歯車１１ｃは、元側回転接続部軸１５の回転の影響を受けない。すなわち、大かさ歯車１１ｃは、駆動側小かさ歯車１１ａの動きを被動側小かさ歯車１１ｂに純粋に伝達する。
【００８８】
その後、軸受１４が先側第４軸受台８ｃの軸穴８ｄ、先側歯車室８ｋの軸穴８ｍに装着される。
【００８９】
先側歯車室８ｋに関し、先側回転接続部軸２０が先側ウォームホイール歯車１１ｊの軸穴１１ｍに挿入される。その後、先側ウォームホイール歯車１１ｊの止めねじ下穴１１ｎと先側回転接続部軸２０のＤカット２０ａとを合せた状態で、止めねじ１６が締結される。
【００９０】
その後、先側ウォームホイール歯車１１ｊの歯と先側ウォーム歯車１１ｉとの歯とをかみ合わせた状態で、先側回転接続部軸２０が底壁８ｉの軸穴８ｊに挿入される。その結果、先側ウォームホイール歯車１１ｊの歯と先側ウォーム歯車１１ｉが先側歯車室８ｋに組み込まれる。この段階で、先側回転接続部軸２０は、底壁８ｉを隔てた反対側に現れる。
【００９１】
その後、先側駆動第４軸１３ｄが先側駆動第４軸受台８ｃの軸穴８ｄ、先側吸塵中継風路８ｅの軸穴８ｇ、先側歯車室８ｋの軸穴８ｍ、先側ウォーム歯車１１ｉの軸穴１１ｋの順に挿入される。その後、先側ウォーム歯車１１ｉの止めねじ下穴１１ｌと先側駆動第４軸１３ｄのＤカット１３ｊとを合せた状態で、止めねじ１６が締結される。
【００９２】
その後、軸受１４が先側歯車室蓋８ｎの歯車穴８ｏに装着される。その後、先側歯車室蓋８ｎが先側ウォームホイール歯車１１ｊに嵌るように先側歯車室蓋８ｎの側壁８ｌに密着される。その後、Ｅ形止め輪１８が座金１９を介して先側回転接続部軸２０の先端のＥ形止め輪用溝２０ｂに装着される。
【００９３】
吸込み口９に関し、先側吸塵中継風路８ｅの開口面８ｈと吸込み口本体９ａの吸塵開口９ｆとを合せた状態で、先側ウォームホイール歯車１１ｊの締結ねじ下穴１１ｏと支持板９ｄのねじ穴９ｅとが合っていることが確認される。この状態で、ねじ１７が作業用穴９ｂを介してドライバーを用いて締結される。その後、作業用穴蓋９ｈが作業用穴９ｂに装着される。当該装着により、先側回転接続部１１周辺の組み立てに区切りが付く。
【００９４】
この時点で、先側駆動第４軸１３ｄを操作（回転）すれば、先側ウォーム歯車１１ｉが回転する。当該回転に対応し、先側ウォームホイール歯車１１ｊが減速回転する。当該回転に連動し、吸込み口９が回転する。
【００９５】
第３の管７に関し、第３の管７の凹部７ｃが第２の管６の凸部６ｇに嵌合される。第３の管７の凹部７ｅが第４の管８の凸部８ｂに嵌合される。この時点では、先側駆動第２軸１３ｂの先側と先側駆動第４軸１３ｄの元側とはかけ離れている。先側駆動第２軸１３ｂの軸線と先側駆動第４軸１３ｄの軸線とは段違いの状態にある。
【００９６】
先側駆動第３軸１３ｃに関し、先側駆動第３軸１３ｃの元側が自在継ぎ手１３ｅと止めねじ１６とを用いて先側駆動第２軸１３ｂの先側に結合される。先側駆動第３軸１３ｃの先側が自在継ぎ手１３ｅと止めねじ１６とを用いて先側駆動第４軸１３ｄの元側に結合される。その結果、先側回転操作ツマミ１３ｆから先側ウォームホイール歯車１１ｊまでがつながれる。
【００９７】
次に、図１４〜図１６を用いて、掃除具３の使用方法を説明する。
図１４はこの発明の実施の形態１における掃除具の標準状態を示す側面図である。図１５はこの発明の実施の形態１における掃除具の上方回転状態を示す側面図である。図１６はこの発明の実施の形態１における掃除具３下方回転状態を示す側面図である。
【００９８】
掃除具３を電気掃除機１に取り付けて使用する場合は、継手管４が手元管２ｃに取り付けられる。その結果、吸込み口９から電気掃除機１内の集塵部までが一連の吸塵風路となる。当該状態で操作スイッチ２ｅを押せば、電気掃除機１内の電動送風機（図示せず）が回転する。当該回転により、吸引風が発生する。当該吸引風により、塵埃が吸込み口９から吸引される。
【００９９】
この場合、図１４〜図１６に示すように、元側回転操作ツマミ１２ｂを操作（回転）すれば、元側回転接続部１０の回転角度を無段階に調整できる。その結果、第１の管５に対する第２の管６よりも先側の角度が調整される。この際、元側駆動軸１２ａには、荷重が加わる。当該荷重による元側駆動軸１２ａは、元側駆動軸受台５ｃに抑制される。
【０１００】
先側回転操作ツマミ１３ｆを操作（回転）すれば、先側回転接続部１１の回転角度を無段階に調整できる。その結果、第４の管８に対する吸込み口９の角度が調整される。この際、先側駆動第１軸１３ａに荷重が加わる。当該荷重による先側駆動第１軸１３ａの振れは、先側駆動第１軸受台５ｄに抑制される。
【０１０１】
屋外の物置等、一般的な家庭において電気掃除機１への電源供給が困難な箇所においえては、継手管握り部４ａを握って、元側回転操作ツマミ１２ｂと先側回転操作ツマミ１３ｆとを操作（回転）すればよい。この場合、元側回転接続部１０と先側回転接続部１１の回転角度を調整しつつ、煤を払うように掃除すればよい。
【０１０２】
以上で説明した実施の形態１によれば、元側回転接続部１０と先側回転接続部１１とにおいて、ウォーム歯車とウォームホイール歯車とは食い違い軸の歯車である。このため、元側回転操作ツマミ１２ｂと先側回転操作ツマミ１３ｆとの操作（回転）は、掃除具３の長手方向に対し直交する方向の回転に変換される。このため、元側回転接続部１０と先側回転接続部１１とは、人体の肘関節のように動く。また、大きな減速比が１段で得られる。このため、軽量かつ細見かつ小型な掃除具３を得ることができる。また、軽い操作力で細やかに回転角度を調整することができる。さらに、ウォーム歯車とウォームホイール歯車の伝達方向は一方向である。このため、掃除時における掃除具３に対する外力に対し、回転角度が簡単に変わることを防止できる。
【０１０３】
このため、家具の上面、空調又は照明等の据え付け機器、家屋の壁と天井等の校舎、家具と家具との隙間、戸又は窓の敷居等の細部を掃除することができる。
【０１０４】
家具の上面は、一般的に水平面からなる。空調又は照明等の据え付け機器は、一般的に傾斜面も持つ。家屋の壁は、床面に対し垂直面である。家屋の天井は、床面に対向する水平面である。家具の上面、据え付け機器、家屋の壁、家屋の天井等を連続的に掃除する場合、長い掃除具３を手元に下ろさずに、被掃除面に対し吸込み口９を適切に対向させることができる。その結果、掃除の効率が大幅に向上する。特に、本実施の形態においては、吸込み口９の回転範囲が大きい。その結果、図１５に示すように、吸塵口９ｃを上方へ向かせることもできる。このため、天井だけでなく棚の下面等も掃除できる。すなわち、清掃範囲が格段に広がる。
【０１０５】
また、継手管４には、継手管握り部４ａが形成される。このため、電気掃除機１を使わない場合に掃除具３を握り易くすることができる。
【０１０６】
また、第３の管７は、第２の管６と第４の管８とを中継する。このため、例えば、第２の管６及び第４の管８をプラスチック成形で加工する場合、内部の吸塵風路を形成するための金型のスライド量が小さくなる。さらに、様々な長さの第３の管を用意すれば、様々な長さの掃除具３を得ることができる。
【０１０７】
また、元側歯車室５ｈは、管路５ａの軸線に対して傾斜する。このため、吸塵性確保の根幹をなす管路５ａは、複雑に屈曲しない。先側歯車室８ｋは、管路８ａの軸線に対して傾斜する。このため、吸塵性確保の根幹をなす管路８ａは、複雑に屈曲しない。すなわち、掃除具３の主機能である吸塵性が優先される。
【０１０８】
また、元側吸塵中継風路５ｇと中継歯車室５ｉとを円形壁６ｃと穴空き円形壁６ｄとで抱き抱えるようにした状態で、円形壁６ｃは、元側ウォームホイール歯車１０ｂを介して元側回転接続部軸１５と結合する。穴空き円形壁６ｄは、座金１９を介して元側回転接続部軸１５と結合する。その結果、３方が確実に保持される。このため、元側回転接続部１０の結合強度が向上する。従って、最先端の吸込み口９に過負荷が加わった場合等に、管長の要素も加わり、モーメント的に大きなねじり力が元側回転接続部１０に加わっても、元側回転接続部１０の結合を維持することができる。
【０１０９】
また、円筒壁６ｂの大きさは、吸塵開口５ｍの縦寸法及び軸開口５ｔの縦寸法に、第２の管６の回転範囲分を加味して設定される。円筒壁６ｂの内径は、元側吸塵中継風路５ｇの外径と中継歯車室５ｉの外径との間に必要最小限のすき間が形成されるように設定される。吸塵開口６ｅの縦寸法は、吸塵開口５ｍの縦寸法に第２の管６の回転範囲を加味して設定される。このため、第１の管５に対し第２の管６を回転させても吸塵開口５ｍが露出しない。このため、掃除具３一連の吸塵風路に穴が開かない。すなわち、吸塵風路内の真空度が落ち込むこともない。その結果、吸込み口９からの塵埃の吸引を維持することができる。また、軸開口５ｔが露出しない。このため、異物が侵入しない。また、中継歯車室５ｉの中の駆動側小かさ歯車１１ａ、被動側小かさ歯車１１ｂ、大かさ歯車１１ｃの動作に不具合が生じない。
【０１１０】
また、駆動側小かさ歯車１１ａ、被動側小かさ歯車１１ｂ、大かさ歯車１１ｃの軸は、一点で交わるように配置される。このため、軸方向が固定されている駆動側小かさ歯車１１ａの操作（回転）力で、大かさ歯車１１ｃが回転する。当該回転の力は、交差点に対する軸角度が変化する被動側小かさ歯車１１ｂに伝達される。当該構成は、中継歯車室５ｉに組み込まれる。このため、先側回転操作ツマミ１３ｆの操作（回転）力は、元側回転接続部１０の回転角度に合せて、自由に向きを変えながら先側回転接続部１１まで伝達される。当該伝達は、元側回転接続部１０の回転軸と大かさ歯車１１ｃの回転軸とが同一であることにより達成することができる。
【０１１１】
また、軸受１４により、対応した軸又は歯車のすべりが向上される。また、当該箇所からの塵埃の侵入を防止できる。
【０１１２】
また、元側吸塵中継風路５ｇの軸穴５ｌの内径は、元側駆動軸１２ａの軸径に対し、必要最小限の隙間を確保するように設定される。元側吸塵中継風路５ｇの軸穴５ｌには、軸受１４が装着されない。このため、元側駆動軸１２ａは、近距離で３点支持されることはない。その結果、元側駆動軸１２ａは、同軸度がばらついていてもすべりが悪くなることはない。
【０１１３】
また、先側回転操作ツマミ１３ｆは、色や印にて元側回転操作ツマミ１２ｂと区別される。このため、使用者の誤操作を防止することができる。
【０１１４】
実施の形態２．
図１７はこの発明の実施の形態２における掃除具を斜め上方から見た斜視図である。図１８はこの発明の実施の形態２における掃除具を図１７とは反対側の斜め上方から見た斜視図である。図１９はこの発明の実施の形態２における掃除具の要部を斜め上方から見た分解図である。図２０はこの発明の実施の形態２における掃除具の要部を図１９とは反対側の斜め上方から見た分解図である。なお、実施の形態１と同一又は相当部分には同一符号を付して説明を省略する。
【０１１５】
実施の形態１の元側回転操作ツマミ１２ｂの操作（回転）方向は、元側駆動軸１２ａと同一軸線上である。先側回転操作ツマミ１３ｆとの操作（回転）方向は、先側駆動第１軸１３ａと同一軸線上である。このため、当該構成は、機構的に単純である。
【０１１６】
しかしながら、元側回転操作ツマミ１２ｂと先側回転操作ツマミ１３ｆとの操作は、音響機器等のツマミの操作と同様になる。この場合、吸込み口９の回転角度を大きく調整する際等には、元側回転操作ツマミ１２ｂと先側回転操作ツマミ１３ｆとを連続的に複数回転させる必要がある。このため、元側回転操作ツマミ１２ｂと先側回転操作ツマミ１３ｆとの操作性は良くない。
【０１１７】
これに対し、実施の形態２の掃除具３は、実施の形態１の掃除具３よりも操作性が向上されている。以下、実施の形態２の掃除具３を説明する。
【０１１８】
図１９において、第１の管５の上面において、元側駆動軸受台５ｃよりも元側には、元側回転操作軸支持ボス２１ａが形成される。元側回転操作軸支持ボス２１ａには、軸穴２１ｂが形成される。元側回転操作軸支持ボス２１ａを覆うように、元側回転操作部カバー２１ｃが配置される。元側回転操作部カバー２１ｃは、水平方向に２分割される。
【０１１９】
元側駆動軸１２ａの元側には、元側回転操作子かさ歯車２２が接続される。元側回転操作子かさ歯車２２には、軸穴２２ａ、止めねじ下穴２２ｂが形成される。元側回転操作子かさ歯車２２に対応して、元側回転操作大かさ歯車２３が設けられる。元側回転操作大かさ歯車２３には、軸穴２３ａが形成される。軸穴２３ａの内径は、元側回転操作軸２４の外径とすきまばめとなるように設定される。元側回転操作大かさ歯車２３の上面には、軸状のツマミ２３ｂが形成される。
【０１２０】
第１の管５の側面において、先側駆動第１軸受台５ｄよりも元側には、先側回転操作軸支持ボス２５ａが形成される。先側回転操作軸支持ボス２５ａには、軸穴２５ｂが形成される。先側回転操作軸支持ボス２５ａを覆うように、先側回転操作部カバー２５ｃが配置される。先側回転操作部カバー２５ｃは、鉛直方向に２分割される。
【０１２１】
先側駆動第１軸１３ａの元側には、先側回転操作子かさ歯車２６が接続される。先側回転操作子かさ歯車２６には、軸穴２６ａ、止めねじ下穴２６ｂが形成される。先側回転操作子かさ歯車２６に対応して、先側回転操作大かさ歯車２７が設けられる。先側回転操作大かさ歯車２７は、色又は印で元側回転操作大かさ歯車２３と区別される。先側回転操作大かさ歯車２７には、軸穴２７ａが形成される。軸穴２７ａの内径は、先側回転操作軸２８の外径とすきまばめとなるように設定される。元側回転操作大かさ歯車２７の側面には、軸状のツマミ２７ｂが形成される。ツマミ２７ｂは、色又は印でツマミ２３ｂと区別される。
【０１２２】
掃除具３を組み立てる際、元側回転操作軸２４が元側回転操作軸支持ボス２１ａの軸穴２１ｂに挿入される。その後、元側回転操作小かさ歯車２２の軸穴２２ａが元側駆動軸１２ａの元側に挿入される。その後、元側回転操作小かさ歯車２２の止めねじ下穴２２ｂと元側駆動軸１２ａのＤカット１２ｃとを合わせた状態で、止めねじ１６が締結される。その後、元側回転操作軸２４が元側回転操作軸支持ボス２１ａの軸穴２１ｂに固定される。
【０１２３】
その後、元側回転操作大かさ歯車２３の軸穴２３ａが元側回転操作軸２４に挿入される。この際、元側回転操作大かさ歯車２３の歯と元側回転操作小かさ歯車２２の歯とがかみ合わせられる。その後、Ｅ型止め輪１８が元側回転操作軸２４の先端のＥ形止め輪用溝２４ａに座金１９を介して装着される。その後、分割された元側回転操作部カバー２１ｃが元側回転操作小かさ歯車２２と元側回転操作大かさ歯車２３とを包み込むように取り付けられる。
【０１２４】
その後、先側回転操作軸２８が先側回転操作軸支持ボス２５ａの軸穴２５ｂに挿入される。その後、先側回転操作小かさ歯車２６の軸穴２６ａが先側駆動第１軸１３ａの元側に挿入される。その後、先側回転操作小かさ歯車２６の止めねじ下穴２６ｂと先側駆動第１軸１３ａのＤカット１３ｇとを合わせた状態で、止めねじ１６が締結される。その後、先側回転操作軸２８が先側回転操作軸支持ボス２５ａの軸穴２５ｂに固定される。
【０１２５】
その後、先側回転操作大かさ歯車２７の軸穴２７ａが先側回転操作軸２８に挿入される。この際、先側回転操作大かさ歯車２７の歯と先側回転操作小かさ歯車２６の歯とがかみ合わせられる。その後、Ｅ型止め輪１８が先側回転操作軸２８の先端のＥ形止め輪用溝２８ａに座金１９を介して装着される。その後、分割された先側回転操作部カバー１５ｃが先側回転操作小かさ歯車２６と先側回転操作大かさ歯車２７とを包み込むように取り付けられる。
【０１２６】
本実施の形態においては、吸込み口９の回転角度を大きく調整する場合、ツマミ２３ｂとツマミ２７ｂとを指先で操作して、釣り具のリールのごとき複数回転させればよい。
【０１２７】
この際、元側回転操作大かさ歯車２３は、元側回転操作軸２４中心に回転する。当該回転に対応して、元側回転操作子かさ歯車２２が回転する。当該回転に対応して、元側駆動軸１２ａが回転する。
【０１２８】
先側回転操作大かさ歯車２７は、先側回転操作軸２８を中心に回転する。当該回転に対応して、先側回転操作子かさ歯車２６が回転する。当該回転に対応して、先側駆動第１軸１３ａが回転する。
【０１２９】
以上で説明した実施の形態２によれば、実施の形態１よりも掃除具３の操作性が向上する。
【０１３０】
また、元側回転操作部カバー２１ｃは、元側回転操作子かさ歯車２２と元側回転操作大かさ歯車２３とを覆う。このため、元側回転操作子かさ歯車２２と元側回転操作大かさ歯車２３とのかみ合わせ部に異物が侵入すること防止できる。
【０１３１】
また、先側回転操作部カバー２５ｃは、先側回転操作子かさ歯車２６と先側回転操作大かさ歯車２７とを覆う。このため、先側回転操作子かさ歯車２６と先側回転操作大かさ歯車２７とのかみ合わせ部に異物が侵入すること防止できる。
【０１３２】
また、先側回転操作大かさ歯車２７は、色又は印で元側回転操作大かさ歯車２３と区別される。ツマミ２７ｂは、色又は印でツマミ２３ｂと区別される。このため、使用者の誤操作を防止することができる。
【０１３３】
実施の形態３．
図２１はこの発明の実施の形態３における掃除具を斜め上方から見た斜視図である。図２２はこの発明の実施の形態３における掃除具を図２１とは反対側の斜め上方から見た斜視図である。なお、実施の形態１と同一又は相当部分には同一符号を付して説明を省略する。
【０１３４】
実施の形態３の掃除具３は、実施の形態１−２の掃除具３よりも外観を良くしたものである。具体的には、実施の形態３の掃除具３においては、元側回転接続部１０と先側回転接続部１１のとの回転は、プーリとタイミングベルトとにより実現される。
【０１３５】
次に、図２３と図２４とを用いて、第１の管５、第２の管６を説明する。
図２３はこの発明の実施の形態３における掃除具の要部を斜め上方から見た分解図である。図２４はこの発明の実施の形態３における掃除具の要部を図２３とは反対側の斜め上方から見た分解図である。
【０１３６】
第１の管５に関し、管路５ａにおいて、継手管接続部５ｂより先側の両側面の中央には、回転操作軸穴２９ａ、回転操作部掛け金受台２９ｂ、ねじボス２９ｃが形成される。回転操作軸穴２９ａは、強度的な観点から回転操作軸３０を両持ち支持するように同一軸線上に形成される。回転操作部掛け金受台２９ｂは、方形状のリブからなる。回転操作部掛け金受台２９ｂの端面２９ｄは、開口する。
【０１３７】
管路５ａの先側には、円筒壁２９ｅ、円形壁２９ｆが形成される。円筒壁２９ｅには、吸塵開口２９ｇが形成される。円形壁２９ｆは、円筒壁２９ｅの側面に連なる。円形壁２９ｆの中央部には、軸穴２９ｈが形成される。
【０１３８】
円形壁２９ｆの周囲には、外回転ガイド２９ｉが形成される。外回転ガイド２９ｉの内側には、内回転ガイド２９ｊが形成される。外回転ガイド２９ｉと内回転ガイド２９ｊとは、元側回転接続部１０が回転する際のガイドするように形成される。外回転ガイド２９ｉと内回転ガイド２９ｊとは、吸塵風路内の真空度の落ち込みを防止するように形成される。具体的には、外回転ガイド２９ｉと内回転ガイド２９ｊとは、リング状のリブからなる。
【０１３９】
第２の管６に関し、管路６ａの元側には、元側吸塵中継風路３１ａが形成される。元側吸塵中継風路３１ａは、側壁３１ｂを備える。側壁３１ｂの外側は、外回転ガイド２９ｉに倣ってリング状に形成される。側壁３１ｂの内側は、内回転ガイド２９ｊに倣ってリング状に形成される。側壁３１ｂの元側には、吸塵開口３１ｃが形成される。吸塵開口３１ｃは、吸塵開口２９ｇと対向する。
【０１４０】
元側吸塵中継風路３１ａに覆われるように、中継プーリ室３１ｄが形成される。中継プーリ室３１ｄは、円筒状の側壁３１ｅと円形状の底壁３１ｆによって区画される。底壁３１ｆの中央部には、Ｄカット軸穴３１ｇが形成される。
【０１４１】
管路６ａの断面は、凹形状に形成される。当該凹形状の溝部分には、ベルト室３１ｈが形成される。ベルト室３１ｈは、側壁３１ｅの一部と底壁３１ｆの一部につながるように形成される。ベルト室３１ｈの元側の中央には、ねじボス３１ｉが形成される。
【０１４２】
管路６ａの先側には、凸部３１ｊが形成される。凸部３１ｊは、ベルト室３１ｈの先側に形成された蓋状の板上に形成される。
【０１４３】
次に、図２５と図２６とを用いて、第３の管７、第４の管８、吸込み口９を説明する。
図２５はこの発明の実施の形態３における掃除具の要部を斜め上方から見た分解図である。図２６はこの発明の実施の形態３における掃除具の要部を図２３とは反対側の斜め上方から見た分解図である。
【０１４４】
第３の管７に関し、管路７ａの内部には、トンネル状のベルト室３２ａが形成される。ベルト室３２ａは、隔壁３２ｂによって仕切られる。
【０１４５】
第４の管８に関し、管路８ａの元側には、凸部３３ａが形成される。
【０１４６】
管路８ａの断面は、凹形状に形成される。当該凹形状の溝部分には、ベルト室３３ｂが形成される。ベルト室３３ｂの元側には、蓋状の板が形成される。当該板状に、凸部３３ａが形成される。ベルト室３３ｂの先側の中央には、ねじボス３３ｃが形成される。
【０１４７】
管路８ａの先側には、先側吸塵中継風路３３ｄが形成される。先側吸塵中継風路３３ｄには、側壁３３ｅが形成される。先側吸塵中継風路３３ｄに覆われるように、先側プーリ室３３ｆが形成される。先側プーリ室３３ｆは、円筒状の側壁３３ｇと円形状の底壁３３ｈによって区画される。側壁３３ｇの一部と底壁３３ｈの一部は、ベルト室３３ｂの先側につながる。底壁３３ｈの中央部には、軸穴３３ｉが形成される。底壁３３ｈとは反対側には、開口面３３ｊが形成される。
【０１４８】
吸込み口９に関し、支持板９ｄの中央部には、Ｄカット軸穴３４ａが形成される。支持板９ｄと吸塵開口９ｆとの周囲には、外回転ガイド３４ｂが形成される。外回転ガイド３４ｂの内側には、内回転ガイド３４ｃが形成される。外回転ガイド３４ｂと内回転ガイド３４ｃとは、先側回転接続部１１が回転する際のガイドとなるように形成される。外回転ガイド３４ｂと内回転ガイド３４ｃとは、吸塵風路内の真空度の落ち込みを防止するように形成される。外回転ガイド３４ｂは、先側吸塵中継風路３３ｄの側壁３３ｅの外側に倣ったリング状のリブからなる。内回転ガイド３４ｃは、先側吸塵中継風路３３ｄの側壁３３ｅの内側に倣ったリング状のリブからなる。
【０１４９】
次に、図２３と図２４とを用いて、元側回転接続部１０を説明する。
【０１５０】
図２３と図２４とにおいて、元側回転接続部１０は、元側回転操作プーリ３５ａ、元側プーリ３５ｂ、元側ベルト３５ｃ、回転操作部掛け金３５ｄ、回転操作部掛け金ばね３５ｅ、元側回転操作部カバー３６ａを備える。
【０１５１】
例えば、元側回転操作プーリ３５ａは、成形加工も可能な高強度素材からなる。元側回転操作プーリ３５ａの表面には、歯（図示せず）が形成される。元側回転操作プーリ３５ａの中央には、軸穴３５ｆが形成される。軸穴３５ｆの内径は、回転操作軸３０の外径に対し、すきまばめとなるように設定される。元側回転操作プーリ３５ａの側面には、締結ねじ下穴３５ｇが形成される。
【０１５２】
例えば、元側プーリ３５ｂは、成形加工も可能な高強度素材からなる。元側プーリ３５ｂの表面には、歯（図示せず）が形成される。元側プーリ３５ｂの中央部には、軸穴３５ｈが形成される。元側プーリ３５ｂの側面には、止めねじ下穴３５ｉが形成される。止めねじ下穴３５ｉは、軸穴３５ｈと直交する。
【０１５３】
元側ベルト３５ｃは、元側回転操作プーリ３５ａの歯と元側プーリ３５ｂの歯とに対応するように形成される。
【０１５４】
回転操作部掛け金３５ｄは、回転操作部掛け金受台２９ｂに支持された状態で滑るように形成される。回転操作部掛け金３５ｄは、平板状からなる主体３５ｊを備える。主体３５ｊの元側かつ外側には、凸部３５ｋが形成される。主体３５ｊの元側かつ内側には、ばね受け部３５ｌが形成される。主体３５ｊの先側かつ外側には、指掛け部３５ｍが形成される。
【０１５５】
回転操作部掛け金ばね３５ｅは、回転操作部掛け金３５ｄの内側でばね受け部３５ｌと回転操作部掛け金受台２９ｂの先側の内面との間に配置された際に圧縮するように形成される。
【０１５６】
元側回転操作部カバー３６ａは、長楕円状に形成される。元側回転操作部カバー３６ａは、側壁３６ｂ、天壁３６ｃを備える。元側回転操作部カバー３６ａの元側は、元側回転操作プーリ３５ａを覆うように形成される。天壁３６ｃの元側は、開口する。元側回転操作部カバー３６ａの中央部は、元側ベルト３５ｃ、回転操作部掛け金３５ｄ、回転操作部掛け金ばね３５ｅを覆うように形成される。元側回転操作部カバー３６ａの中央部には、回転操作部掛け金開口３６ｄが形成される。回転操作部掛け金開口３６ｄは、回転操作部掛け金３５ｄの指掛け部３５ｍの可動範囲に倣った形状に形成される。回転操作部掛け金開口３６ｄの近傍には、ねじ穴３６ｅが形成される。元側回転操作部カバー３６ａの先側は、元側プーリ３５ｂを覆うように形成される。元側回転操作部カバー３６ａの先側は、円形壁２９ｆを抱くように形成される。
【０１５７】
次に、図２３〜図２６を用いて、先側回転接続部１１を説明する。
【０１５８】
図２３〜図２６において、先側回転接続部１１は、先側回転操作プーリ３７ａ、中継プーリ３７ｂ、先側プーリ３７ｃ、先側第１ベルト３７ｄ、長尺の先側第２ベルト３７ｅ、回転操作部掛け金３７ｆ、回転操作部掛け金ばね３７ｇ、先側回転操作部カバー３８ａ、元側ベルトカバー３８ｂ、先側ベルトカバー３８ｃを備える。
【０１５９】
例えば、先側回転操作プーリ３７ａは、成形加工も可能な高強度素材からなる。先側回転操作プーリ３７ａの表面には、歯（図示せず）が形成される。先側回転操作プーリ３７ａの中央部には、軸穴３７ｈが形成される。軸穴３７ｈの内径は、回転操作軸３０の外径に対し、すきまばめとなるように設定される。先側回転操作プーリ３７ａの側面には、締結ねじ下穴３７ｉが形成される。
【０１６０】
例えば、中継プーリ３７ｂは、成形加工も可能な高強度素材からなる。中継プーリ３７ｂの表面には、歯（図示せず）が形成される。歯の幅は、他のプーリの歯（図示せず）の幅よりも広い。中継プーリ３７ｂの中央部には、軸穴３７ｊが形成される。軸穴３７ｊの内径は、元側回転接続部軸１５の外径に対し、すきまばめとなるように設定される。
【０１６１】
例えば、先側プーリ３７ｃは、成形加工も可能な高強度素材からなる。先側プーリ３７ｃの表面には、歯（図示せず）が形成される。先側プーリ３７ｃの中央部には、軸穴３７ｋが形成される。先側プーリ３７ｃの側面には、止めねじ下穴３７ｌが形成される。止めねじ下穴３７ｌは、軸穴３７ｋと直交する。
【０１６２】
先側第１ベルト３７ｄは、先側回転操作プーリ３７ａの歯と中継プーリ３７ｂの歯とに対応するように形成される。先側第２ベルト３７ｅは、中継プーリ３７ｂの歯と先側プーリ３７ｃの歯とに対応するように形成される。
【０１６３】
回転操作部掛け金３７ｆは、回転操作部掛け金受台２９ｂに支持された状態で滑るように形成される。回転操作部掛け金３７ｆは、平板状からなる主体３７ｍを備える。主体３７ｍの元側かつ外側には、凸部３７ｎが形成される。主体３７ｍの元側かつ内側には、ばね受け部３７ｏが形成される。主体３７ｍの先側かつ外側には、指掛け部３７ｐが形成される。
【０１６４】
回転操作部掛け金ばね３７ｇは、回転操作部掛け金３７ｆの内側でばね受け部３７ｏと回転操作部掛け金受台２９ｂの先側の内面との間に配置された際に圧縮するように形成される。
【０１６５】
先側回転操作部カバー３８ａは、長楕円状に形成される。元側回転操作部カバーは、側壁３８ｄ、天壁３８ｅを備える。先側回転操作部カバー３８ａの元側は、先側回転操作プーリ３７ａを覆うように形成される。天壁３８ｅの元側は、開口する。先側回転操作部カバー３８ａの中央部は、先側第１ベルト３７ｄ、回転操作部掛け金３７ｆ、操作部掛け金ばね３７ｇを覆うように形成される。先側回転操作部カバー３８ａの中央部には、回転操作部掛け金開口３８ｆが形成される。回転操作部掛け金開口３８ｆは、回転操作部掛け金３７ｆの指掛け部３７ｐの可動範囲に倣った形状に形成される。回転操作部掛け金開口３８ｆの近傍には、ねじ穴３８ｇが形成される。先側回転操作部カバー３８ａの先側は、中継プーリ３７ｂを覆うように形成される。先側回転操作部カバー３８ａの先側は、元側吸塵中継風路３１ａを抱くように形成される。
【０１６６】
元側ベルトカバー３８ｂは、長尺の平板状に形成される。元側ベルトカバー３８ｂの縦寸法は、ベルト室３１ｈの幅寸法より僅かに小さく設定される。元側ベルトカバー３８ｂの長さ寸法は、ベルト室３１ｈの長さ寸法に倣った寸法に設定される。元側ベルトカバー３８ｂの元側回転接続部１０近傍には、ねじ穴３８ｈが形成される。元側ベルトカバー３８ｂの先側には、係合ツメ３８ｉが形成される。
【０１６７】
先側ベルトカバー３８ｃは、長尺の平板状に形成される。先側ベルトカバー３８ｃの縦寸法とは、ベルト室３３ｂの幅寸法より僅かに小さく設定される。先側ベルトカバー３８ｃの長さ寸法は、ベルト室３３ｂの長さ寸法に倣った寸法に設定される。先側ベルトカバー３８ｃの先側回転接続部１１近傍には、ねじ穴３８ｊが形成される。先側ベルトカバー３８ｃの元側には、係合ツメ３８ｋが形成される。先側ベルトカバー３８ｃの先側には、先側プーリカバー部３８ｌが形成される。
【０１６８】
次に、図２３と図２４とを用いて、元側操作部１２と先側操作部１３とを説明する。
【０１６９】
図２３と図２４とにおいて、元側操作部１２は、元側回転操作ツマミ３９ａを備える。元側回転操作ツマミ３９ａは、使用者が指で摘める程度の大きさで円盤状に形成される。元側回転操作ツマミ３９ａの内側は、元側回転操作部カバー３６ａの天壁３６ｃの元側の形状に倣って形成される。元側回転操作ツマミ３９ａの表面には、凹凸３９ｂが形成される。凹凸３９ｂは、回転操作部掛け金３５ｄの凸部３５ｋとかみ合いつつ、滑り止めも兼ねるように形成される。元側回転操作ツマミ３９ａの側面中央には、ねじ穴３９ｃが形成される。
【０１７０】
図２３と図２４とにおいて、先側操作部１３は、先側回転操作ツマミ４０ａを備える。先側回転操作ツマミ４０ａは、使用者が指で摘める程度の大きさの円盤状に形成される。
先側回転操作ツマミ４０ａの内側は、先側回転操作部カバー３８ａの天壁３８ｅの元側の形状に倣って形成される。先側回転操作ツマミ４０ａの表面には、凹凸４０ｂが形成される。凹凸４０ｂは、回転操作部掛け金３７ｆの凸部３７ｎとかみ合いつつ、滑り止めも兼ねるように形成される。先側回転操作ツマミ４０ａの側面中央には、ねじ穴４０ｃが形成される。
【０１７１】
次に、図２３〜図２６を用いて、掃除具３の組み立て手順の概要を説明する。なお、組み立て順は、以下の手順に限定されない。
【０１７２】
まず、軸受１４が円形壁２９ｆの軸穴２９ｈ、先側プーリ室３３ｆの軸穴３３ｉに装着される。その後、第１の管５から第４の管８に対し、仮組み立て（仮配置）がなされる。この際、継手管４と第１の管５とは、実施の形態１と同様に接続される。
【０１７３】
先側第２ベルト３７ｅに関し、元側回転接続部軸１５が中継プーリ３７ｂの軸穴３７ｊに挿入される。その後、Ｅ形止め輪１８が元側回転接続部軸１５の先端のＥ形止め輪用溝１５ｂに装着される。その後、先側回転接続部軸２０が先側プーリ３７ｃの軸穴３７ｋに挿入される。その後、先側プーリ３７ｃの止めねじ下穴３７ｌと先側回転接続部軸２０のＤカット２０ａを合せた状態で、止めねじ１６が締結される。先側プーリ３７ｃと先側回転接続部軸２０との固定は、強度の確保が図れれば圧入等でもよい。
【０１７４】
その後、先側第２ベルト３７ｅが第３の管７のベルト室３２ａに通される。その後、中継プーリ３７ｂと先側プーリ３７ｃとに先側第２ベルト３７ｅを架け渡した状態で、元側回転接続部軸１５が中継プーリ室３１ｄのＤカット軸穴３１ｇに挿入される。この状態で、先側回転接続部軸２０が先側プーリ室３３ｆの軸穴３３ｉに挿入される。この段階で、元側回転接続部軸１５のＤカット１５ａは、円形壁２９ｆの軸穴２９ｈから覗く。
【０１７５】
その後、元側ベルトカバー３８ｂの係合ツメ３８ｋが第２の管６の凸部３１ｊが形成されている蓋状の板に引っ掛けられる。この状態で、ねじ１７が締結される。その後、先側ベルトカバー３８ｃの係合ツメ３８ｋが第４の管８の凸部３３ａが形成されている蓋状の板に引っ掛けられる。この状態で、ねじ１７が締結される。
【０１７６】
元側回転操作ツマミ３９ａに関し、円形壁２９ｆの軸穴２９ｈから覗く元側回転接続部軸１５が元側プーリ３５ｂの軸穴３５ｈに挿入される。その後、元側プーリ３５ｂの止めねじ下穴３５ｉと元側回転接続部軸１５のＤカット１５ａとを合わせた状態で、止めねじ１６が締結される。その後、回転操作軸３０が第１の管５の回転操作軸穴２９ａに挿入される。
【０１７７】
その後、元側プーリ３５ｂと元側回転操作プーリ３５ａに元側ベルト３５ｃを架け渡した状態で、回転操作軸３０が元側回転操作プーリ３５ａの軸穴３５ｆに挿入される。その後、Ｅ形止め輪１８が回転操作軸３０の先端のＥ形止め輪用溝３０ａに装着される。
【０１７８】
その後、先側回転操作プーリ３７ａ、先側第１ベルト３７ｄも、同じ要領で組み立てられる。すなわち、回転操作軸３０は、元側回転操作プーリ３５ａと先側回転操作プーリ３７ａとに兼用される。
【０１７９】
その後、回転操作部掛け金ばね３５ｅ、３７ｇが回転操作部掛け金受台２９ｂの内側に圧縮した状態でセットされる。その後、回転操作部掛け金３５ｄ、３７ｆがばね受け部３５ｌ、３７ｏを挿入しながら装着される。その結果、回転操作部掛け金３５ｄ、３７ｆは、元側への力を常に受ける。その後、元側回転操作部カバー３６ａ、先側回転操作部カバー３８ａがセットされる。この状態で、ねじ１７がねじボス３１ｉ、３３ｃ締結される。
【０１８０】
その後、元側回転操作プーリ３５ａの締結ねじ下穴３５ｇと元側回転操作ツマミ３９ａのねじ穴３９ｃとが合っていることを確認したうえで、ねじ１７が締結される。
【０１８１】
最後に、先側回転操作ツマミ４０ａが元側回転操作ツマミ３９ａと同じ要領で締結される。
【０１８２】
以上で説明した実施の形態３によれば、元側回転接続部１０と先側回転接続部１１のとの回転は、プーリとタイミングベルトとにより実現される。特に、長尺の先側第２ベルト２２６は、ベルト室３１ｈ、３２ａ、３３ｂ内に納められる。このため、掃除具３の見栄えがよい。さらに、掃除具３に必要以上の突起や隙間がなくなる。このため、高所や細部の掃除する際の操作性が格段に向上する。
【０１８３】
また、中継プーリ３７ｂが設けられる。このため、先側回転操作ツマミ４０ａ、先側回転操作プーリ３７ａ、先側第１ベルト３７ｄの順に伝達されてきた操作（回転）力を先側第２ベルト３７ｅに伝達することができる。当該伝達は、元側回転接続部１０の回転軸と中継プーリ３７ｂの回転軸とが同一であることにより達成される。すなわち、中継プーリ３７ｂの軸穴３７ｊの内径は、元側回転接続部軸１５の外径に対し、すきまばめとなるように設定される。このため、中継プーリは、元側回転接続部軸の動きに関係なく回転することができる。
【０１８４】
また、元側回転操作部カバー３６ａと先側回転操作部カバー３８ａとは、第１の管５の円形壁２９ｆと第２の管６の元側吸塵中継風路３１ａを両側から抱く。このため、元側回転接続部１０をねじる力等に対し、強度を向上させることができる。
【０１８５】
また、元側回転操作ツマミ３９ａの凹凸３９ｂと回転操作部掛け金３５ｄの凸部３５ｋとが回転操作部掛け金ばね３５ｅの力によりかみ合わさっている。先側回転操作ツマミ４０ａの凹凸４０ｂと回転操作部掛け金３７ｆの凸部３７ｎとが回転操作部掛け金ばね３７ｇの力によりかみ合わさっている。このため、元側回転操作ツマミ３９ａの回転と先側回転操作ツマミ４０ａの回転とが抑制される。すなわち、本実施の形態においても、元側回転接続部１０の回転角度と先側回転接続部１１の回転角度とを使用者の意思に従って回転させることができる。なお、回転操作部掛け金ばね３５ｅ、３７ｇの力の値は、操作に支障がなく、回転抑制に十分な値にすればよい。
【０１８６】
また、回転操作部掛け金３５ｄ、３７ｆには、指掛け部３５ｍ、３７ｐが形成される。このため、指掛け部３５ｍを先側に移動すれば、元側回転操作ツマミ３９ａと回転操作部掛け金３５ｄとのかみ合わせを解除することができる。その結果、元側回転操作ツマミ３９ａを簡単に回転させることができる。これに対し、指掛け部３７ｐを先側に移動すれば、先側回転操作ツマミ４０ａと回転操作部掛け金３７ｆとのかみ合わせを解除することができる。その結果、先側回転操作ツマミ４０ａを簡単に回転させることができる。
【０１８７】
また、軸受１４により、対応した軸のすべりが向上される。また、当該箇所からの塵埃の侵入を防止できる。
【０１８８】
なお、円筒壁２９ｅの大きさは、元側吸塵中継風路３１ａの吸塵開口３１ｃの縦寸法に第２の管６の回転範囲分を加味した寸法に設定される。このため、掃除具３一連の吸塵風路に穴が開かない。すなわち、吸塵風路内の真空度が落ち込むこともない。その結果、吸込み口９からの塵埃の吸引を維持することができる。
【符号の説明】
【０１８９】
１  電気掃除機、  ２  手元ホース、  ２ａ  接続管、  ２ｂ  ホース、
２ｃ  手元管、  ２ｄ  手元ホース握り部、  ２ｅ  操作スイッチ、  ３  掃除具、
４  継手管、  ４ａ  継手管握り部、  ５  第１の管、  ５ａ  管路、
５ｂ  継手管接続部、  ５ｃ  元側駆動軸受台、  ５ｄ  先側駆動第１軸受台、
５ｅ  軸穴、  ５ｆ  軸穴、  ５ｇ  元側吸塵中継風路、  ５ｈ  元側歯車室、
５ｉ  中継歯車室、  ５ｊ  隔壁、  ５ｋ  側壁、  ５ｌ  軸穴、  ５ｍ  吸塵開口、
５ｎ  側壁、  ５ｏ  軸穴、  ５ｐ  元側歯車室蓋、  ５ｑ  歯車穴、  ５ｒ  側壁、
５ｓ  軸穴、  ５ｔ  軸開口、  ５ｕ  軸穴、  ６  第２の管、  ６ａ  管路、
６ｂ  円筒壁、  ６ｃ  円形壁、  ６ｄ  穴空き円形壁、  ６ｅ  吸塵開口、
６ｆ  軸穴、  ６ｇ  凸部、  ６ｈ  先側駆動第２軸受台、  ６ｉ  軸穴、
６ｊ  ねじ穴、  ６ｋ  軸穴、  ７  第３の管、  ７ａ  管路、  ７ｂ  管接続部、
７ｃ  凹部、  ７ｄ  管接続部、  ７ｅ  凹部、  ８  第４の管、  ８ａ  管路、
８ｂ  凸部、  ８ｃ  先側駆動第４軸受台、  ８ｄ  軸穴、
８ｅ  先側吸塵中継風路、  ８ｆ  側壁、  ８ｇ  軸穴、  ８ｈ  開口面、
８ｉ  底壁、  ８ｊ  軸穴、  ８ｋ  先側歯車室、  ８ｌ  側壁、  ８ｍ  軸穴、
８ｎ  先側歯車室蓋、  ８ｏ  歯車穴、  ９  吸込み口、  ９ａ  吸込み口本体、
９ｂ  作業用穴、  ９ｃ  吸塵口、  ９ｄ  支持板、  ９ｅ  ねじ穴、
９ｆ  吸塵開口、  ９ｇ  外回転ガイド、  ９ｈ  作業用穴蓋、  ９ｉ  植毛、
１０  元側回転接続部、１０ａ  元側ウォーム歯車、
１０ｂ  元側ウォームホイール歯車、  １０ｃ  軸穴、  １０ｄ  止めねじ下穴、
１０ｅ  軸穴、  １０ｆ  止めねじ下穴、  １０ｇ  締結ねじ下穴、
１１  先側回転接続部、  １１ａ  駆動側小かさ歯車、  １１ｂ  被動側小かさ歯車、
１１ｃ  大かさ歯車、  １１ｄ  軸穴、  １１ｅ  止めねじ下穴、  １１ｆ  軸穴、
１１ｇ  止めねじ下穴、  １１ｈ  軸穴、  １１ｉ  先側ウォーム歯車、
１１ｊ  先側ウォームホイール歯車、  １１ｋ  軸穴、  １１ｌ  止めねじ下穴、
１１ｍ  軸穴、  １１ｎ  止めねじ下穴、  １１ｏ  締結ねじ下穴、
１２  元側操作部、  １２ａ  元側駆動軸、  １２ｂ  元側回転操作ツマミ、
１２ｃ  Ｄカット、  １２ｄ  凹凸、  １２ｅ  軸穴、  １２ｆ  止めねじ下穴
１３  先側操作部、  １３ａ  先側駆動第１軸、  １３ｂ  先側駆動第２軸、
１３ｃ  先側駆動第３軸、  １３ｄ  先側駆動第４軸、  １３ｅ  自在継ぎ手
１３ｆ  先側回転操作ツマミ、  １３ｇ〜１３ｊ  Ｄカット、  １３ｋ  凹凸、
１３ｌ  軸穴、  １３ｍ  止めねじ下穴、  １３ｎ  継ぎ手、１３ｏ  中間体、
１３ｐ  止めねじ下穴、  １４  軸受、  １５  元側回転接続部軸、
１５ａ  Ｄカット、  １５ｂ  Ｅ形止め輪用溝、  １６  止めねじ、１７  ねじ、
１８  Ｅ形止め輪、  １９  座金、  ２０  先側回転接続部軸、  ２０ａ  Ｄカット、
２０ｂ  Ｅ形止め輪用溝、  ２１ａ  元側回転操作軸支持ボス、  ２１ｂ  軸穴、
２１ｃ  元側回転操作部カバー、  ２２  元側回転操作子かさ歯車、  ２２ａ  軸穴、
２２ｂ  止めねじ下穴、  ２３  元側回転操作大かさ歯車、  ２３ａ  軸穴、
２３ｂ  ツマミ、  ２４  元側回転操作軸、  ２４ａ  Ｅ形止め輪用溝、
２５ａ  先側回転操作軸支持ボス、  ２５ｂ  軸穴、  ２５ｃ  先側回転操作部カバー、
２６  先側回転操作子かさ歯車、  ２６ａ  軸穴、  ２６ｂ  止めねじ下穴、
２７  先側回転操作大かさ歯車、  ２７ａ  軸穴、  ２７ｂ  ツマミ、
２８  先側回転操作軸、  ２８ａ  Ｅ形止め輪用溝、  ２９ａ  回転操作軸穴、
２９ｂ  回転操作部掛け金受台、  ２９ｃ  ねじボス、  ２９ｄ  端面、
２９ｅ  円筒壁、  ２９ｆ  円形壁、  ２９ｇ  吸塵開口、  ２９ｈ  軸穴、
２９ｉ  外回転ガイド、  ２９ｊ  内回転ガイド、  ３０  回転操作軸、
３０ａ  Ｅ形止め輪用溝、  ３１ａ  元側吸塵中継風路、  ３１ｂ  側壁、
３１ｃ  吸塵開口、  ３１ｄ  中継プーリ室、  ３１ｅ  側壁、  ３１ｆ  底壁、
３１ｇ  Ｄカット軸穴、  ３１ｈ  ベルト室、  ３１ｉ  ねじボス、  ３１ｊ  凸部、
３２ａ  ベルト室、  ３２ｂ  隔壁、  ３３ａ  凸部、  ３３ｂ  ベルト室、
３３ｃ  ねじボス、  ３３ｄ  先側吸塵中継風路、  ３３ｅ  側壁、
３３ｆ  先側プーリ室、  ３３ｇ  側壁、  ３３ｈ  底壁、  ３３ｉ  軸穴、
３３ｊ  開口面、  ３４ａ  Ｄカット軸穴、  ３４ｂ  外回転ガイド、
３４ｃ  内回転ガイド、  ３５ａ  元側回転操作プーリ、  ３５ｂ  元側プーリ、
３５ｃ  元側ベルト、  ３５ｄ  回転操作部掛け金、  ３５ｅ  回転操作部掛け金ばね、
３５ｆ  軸穴、  ３５ｇ  締結ねじ下穴、  ３５ｈ  軸穴、  ３５ｉ  止めねじ下穴、
３５ｊ  主体、  ３５ｋ  凸部、  ３５ｌ  ばね受け部、  ３５ｎ  指掛け部、
３６ａ  元側回転操作部カバー、  ３６ｂ  側壁、  ３６ｃ  天壁、
３６ｄ  回転操作部掛け金開口、  ３６ｅ  ねじ穴、  ３７ａ  先側回転操作プーリ、
３７ｂ  中継プーリ、  ３７ｃ  先側プーリ、  ３７ｄ  先側第１ベルト、
３７ｅ  先側第２ベルト、  ３７ｆ  回転操作部掛け金、
３７ｇ  回転操作部掛け金ばね、  ３７ｈ  軸穴、  ３７ｉ  締結ねじ下穴、
３７ｊ  軸穴、  ３７ｋ  軸穴、  ３７ｌ  止めねじ下穴、  ３７ｍ  主体、
３７ｎ  凸部、  ３７ｏ  ばね受け部、  ３７ｐ  指掛け部、
３８ａ  先側回転操作部カバー、  ３８ｂ  元側ベルトカバー、
３８ｃ  先側ベルトカバー、  ３８ｄ  側壁、  ３８ｅ  天壁、
３８ｆ  回転操作部掛け金開口、  ３８ｇ  ねじ穴、  ３８ｈ  ねじ穴、
３８ｉ  係合ツメ、  ３８ｊ  ねじ穴、  ３８ｋ  係合ツメ、
３８ｌ  先側プーリカバー部、  ３９ａ  元側回転操作ツマミ、  ３９ｂ  凹凸、
３９ｃ  ねじ穴、  ４０ａ  先側回転操作ツマミ、  ４０ｂ  凹凸、  ４０ｃ  ねじ穴。
【図１】
2014045870.tif 000003
【図２】
2014045870.tif 000004
【図３】
2014045870.tif 000005
【図４】
2014045870.tif 000006
【図５】
2014045870.tif 000007
【図６】
2014045870.tif 000008
【図７】
2014045870.tif 000009
【図８】
2014045870.tif 000010
【図９】
2014045870.tif 000011
【図１０】
2014045870.tif 000012
【図１１】
2014045870.tif 000013
【図１２】
2014045870.tif 000014
【図１３】
2014045870.tif 000015
【図１４】
2014045870.tif 000016
【図１５】
2014045870.tif 000017
【図１６】
2014045870.tif 000018
【図１７】
2014045870.tif 000019
【図１８】
2014045870.tif 000020
【図１９】
2014045870.tif 000021
【図２０】
2014045870.tif 000022
【図２１】
2014045870.tif 000023
【図２２】
2014045870.tif 000024
【図２３】
2014045870.tif 000025
【図２４】
2014045870.tif 000026
【図２５】
2014045870.tif 000027
【図２６】
2014045870.tif 000028